(57)【要約】      （修正有）【課題】ガラスなどの基板の各辺縁（四辺縁）に耳落としのため切断線をスクライブする切断装置において、タクト運転の作業性を大幅にアップして稼働率を著しく向上させる。【解決手段】基板ａを支持するテーブルの外側に設けた平行二条の第１ガイド手段１によりガイドされて走行する左側走行フレーム４及び右側走行フレーム５と、左側走行フレーム４上で走行する第１スライダ１２に設けて基板ａの上面後方側辺に平行する切断線Ｘをスクライブする第１カッタ１０と、右側走行フレーム５に設けたレールに位置調整自在となる対の第２スライダに設けて基板ａの上面両辺縁前後方向の切断線Ｙをスクライブする第２カッタ１７と、右側フレーム５の外側で第１ガイド手段１にガイドされ走行する一本の走行フレーム３０上で往復走行する第３スライダ３２に設けて基板ａの上面後方側辺縁に平行する切断線をスクライブする第３カッタ２７から構成される。【選択図】図２
0003235348.tif 000002
【実用新案登録請求の範囲】
【請求項１】
上面に供給載置した方形状の基板を支持するように設けたテーブルと、このテーブルの左右方向に両辺外側に設けた平行二条の第１ガイド手段と、この第１ガイド手段によりガイドされ、かつ左右方向に走行手段により走行するように設けた左側走行フレーム及び右側走行フレームと、この左側走行フレームの両端間に設けてあるレールにスライド自在に係合すると共に、走行手段により上記第１ガイド手段間で往復走行するように設けた第１スライダと、この第１スライダに昇降手段により昇降するように設けて上記基板の上面後方側辺に平行する切断線をスクライブするように設けた第１カッタと、上記右側走行フレームの両端間に設けてあるレールに左右対の第２スライダを位置調整のためスライド自在に係合すると共に、昇降手段により昇降するように設けて上記基板の上面両辺縁前後方向にスクライブするように設けた対の第２カッタと、上記右側フレームの外側で平行し、かつ、平行二条の上記第１ガイド手段に左右方向に走行するように設けた一本の走行フレームと、この一本の走行フレームの両端間に設けてあるレールにスライド自在に係合すると共に、走行手段により上記第１ガイド手段間で往復走行するように設けた第３スライダと、この第３スライダに昇降手段を介し昇降し、かつ上記基板の上面後方側辺縁に平行する切断線をスクライブするように設けた第３カッタからなることを特徴とする基板の切断装置。
【考案の詳細な説明】
【技術分野】
【０００１】
この考案は、例えばガラスなどの基板の各辺縁（四辺縁）に耳落としのため切断線をスクライブする切断装置に関する。
【背景技術】
【０００２】
ガラスなどの基板の四辺縁に耳落としのため前処理としての切断線をスクライブする加工が必要になる。
【０００３】
そこで、液晶のマザーガラス基板の大きさが例えば短辺２２００ｍｍ×長辺２５００ｍｍと大判となったものを使用する。
【０００４】
上記大判な基板を加工する前処理として、上記基板の各辺縁（四辺縁）に耳落としのために切断線をスクライブしている（例えば、特許文献１参照）。
【先行技術文献】
【特許文献】
【０００５】
【特許文献１】特許第４１８９９９２号公報
【考案の概要】
【考案が解決しようとする課題】
【０００６】
ところで、特許文献１の方式によると、作業ステージ上に基板を供給載置したのち、走行手段によって第１走行体を前進走行すると共に、第１カッタを降下させて基板の一方の対向二辺に耳落とし用の切断線を同時スクライブする。
【０００７】
上記の第１走行体の前進走行開始にともない走行手段によって第２走行体を前進走行させながら、基板の他方の対向辺縁の一方辺縁の直上に第２走行体が到達すると、第２走行体の前進走行をストップする。
【０００８】
次いで、走行手段により第２走行体側のスライダを走行させ、かつシリンダの作用により第３カッタを降下させて、基板の他方の対向辺縁の片方の直上に第２走行体が到達すると、第２走行体の前進走行をストップする。
【０００９】
その後に、走行手段によってスライダ（第２走行体側の）を走行すると共に、シリンダにより第３カッタを降下させて、基板の他方の対向辺縁の片方に第３カッタを介し耳落とし用の切断線をスクライブする。
【００１０】
上記第１走行体の前進が停止して第１カッタによる切断線のスクライブが終了すると、走行手段によって走行体側のスライダを走行させ、かつシリンダの作用によって第２カッタを降下させ、基板の他方の対向辺縁のもう片方に耳落とし用の切断線をスクライブすることになる。
【００１１】
上記のようなスクライブ方式によると、第１カッタ及び第２カッタによるスクライブの際、テーブルの前方に並列二本の第１走行体及び第２走行体を進退させてあり、基板の他方の並列する両辺に第２カッタ及び第２カッタでスクライブする際に、第１走行体、第２走行体を走行させて、スクライブ位置に前記第１カッタ及び第１カッタを位置合わせスライドさせるので、迅速なタクト運転をすることができない問題があった。
【００１２】
そこで、この考案の目的は、タクト運転の作業性を大幅にアップして稼働率を著しく向上させることにある。
【課題を解決するための手段】
【００１３】
上記の課題を解決するため、この考案は、上面に供給載置した方形状の基板を支持するように設けたテーブルと、このテーブルの左右方向に両辺外側に設けた平行二条の第１ガイド手段と、この第１ガイド手段によりガイドされ、かつ左右方向に走行手段により走行するように設けた左側走行フレーム及び右側走行フレームと、この左側走行フレームの両端間に設けてあるレールにスライド自在に係合すると共に、走行手段により上記第１ガイド手段間で往復走行するように設けた第１スライダと、この第１スライダに昇降手段により昇降するように設けて上記基板の上面後方側辺に平行する切断線をスクライブするように設けた第１カッタと、上記右側走行フレームの両端間に設けてあるレールに左右対の第２スライダを位置調整のためスライド自在に係合すると共に、昇降手段により昇降するように設けて上記基板の上面両辺縁前後方向にスクライブするように設けた対の第２カッタと、上記右側フレームの外側で平行し、かつ、平行二条の上記第１ガイド手段に左右方向に走行するように設けた一本の走行フレームと、この一本の走行フレームの両端間に設けてあるレールにスライド自在に係合すると共に、走行手段により上記第１ガイド手段間で往復走行するように設けた第３スライダと、この第３スライダに昇降手段を介し昇降し、かつ上記基板の上面後方側辺縁に平行する切断線をスクライブするように設けた第３カッタからなる構成を採用する。
【考案の効果】
【００１４】
以上のように、この考案の基板の切断装置によれば、テーブルに基板を供給載置したのち、左側走行フレームを上記供給ずみ基板の左側端縁の直上に走行手段により第１スライダを走行させながら、上記基板の後縁よりスクライブ開始位置に第１カッタを位置合わせしたのち、昇降手段により第１カッタを降下させ、かつ走行手段により上記第１カッタを走行させることで、基板の後方側辺縁をスクライブすることができる。
【００１５】
また、右側走行フレームの対の両第２スライダのスクライブ位置合わせ後、第２カッタ右側走行フレームを前進走行させることで、基板の上面左右の辺縁側に二乗の切断線をスクライブすることができる。
【００１６】
上記の第２カッタの走行後に、一本の走行フレームを走行手段により上記の右側走行フレームの方向に走行させて、上記の一本の走行フレームの位置合わせ後、走行手段により第３スライダを第１走行手段側に向け走行させることで、第３カッタにより基板の上面、前述の第２カッタによるスクライブ線を結ぶようにスクライブする。
【００１７】
すると、第１カッタによるスクライブの途中から並列第２カッタによるスクライブを、第２カッタによるスクライブの途中から第３カッタによるスクライブを無駄なく極めて能率よく行うことができて、タクト運転の効率を大幅にアップした加工（作業）を行うことができる。
すなわち、大幅な稼働率の向上をはかることができる。
【図面の簡単な説明】
【００１８】
【図１】この考案の実施形態を示す平面図である。
【図２】上記の基板の一方の平行二辺をスクライブした平面図である。
【図３】上記の基板のもう一方の平行二辺をスクライブした平面図である。
【図４】上記の正面図である。
【図５】基板の一方の平行二辺をスクライブした平面図である。
【図６】基板のもう一方の平行二辺をスクライブした平面図である。。
【考案を実施するための形態】
【００１９】
次に、この考案の実施形態を添付図面に基づいて説明する。
図１に示すＡは、上面に供給載置した、例えばガラス基板ａを荷受けするテーブルである。
【００２０】
上記の基板ａとしては、例えば液晶のマザー基板で、例えば、短辺２２００ｍｍ、長辺２５００ｍｍの大判で、例えば、供給機械などでステージとしてのテーブルＡ上に供給載置され、供給された基板ａは、テーブルＡ上に吸引保持されるようになっている。この吸飲保持手段としては、公知のように、中空な吸引式テーブルＡの上面板に無数の小孔（図示省略）を設けて、テーブルＡの上面板上に基板ａを吸引保持するようになっているが、上記以外に、例えば上記の吸引式テーブルＡの上面板に無数の小孔を設けて、テーブルＡに基板ａを吸引保持すると共に、基板ａの払い出しの際、テーブルＡ内に水などの流体を圧送してテーブルＡから基板ａを浮上させると共に、浮上にともない吸引孔として作用した小孔から圧送水（液体）を噴出させてテーブル上の、例えばカレットなどを洗い流して、基板に付着物をなくするようにした方式を採用することもある。
【００２１】
また、テーブルＡの走行方向両側に平行二条の第１ガイド手段１が設けてある。
上記の第１ガイド手段１として、二本の平行するレールを敷設して設ける。
【００２２】
さらに、第１ガイド手段１に両端のスライダ２をスライド自在に係合して、走行手段３により左右方向に走行する左側走行フレーム４及び右側走行フレーム５が設けてある。
【００２３】
上記左側走行フレーム４及び右側走行フレーム５の走行手段３としては、図示の場合、門形の左側走行フレーム４及び門形の右側走行フレーム５の両端から下向きに延びる脚材６の下端に雌ネジ７を支持して、この雌ネジ７にねじ込んである雄ネジ８をモーター９により可逆駆動することで、左側走行フレーム４及び右側走行フレーム５が走行するようになっているが、走行手段は図示のものに限定されない。
【００２４】
また、左側走行フレーム４には、テーブルＡ上の基板ａの上面の上記左側走行フレーム４側の端に（左側走行フレーム４の前後方向に）沿って切断線Ｘをスクライブする第１カッタ１０が設けてある。
【００２５】
上記の第１カッタ１０は、図４及び図２に示すように左側走行フレーム４の両端間に設けてあるレール１１に第１スライダ１２をスライド自在に係合すると共に、この第１スライダ１２に支持した雌ネジ１３にねじ込んだ雄ネジ１４をモーター１５により可逆駆動することで第１スライダ１２を走行するようにしてある。
【００２６】
なお、第１カッタ１０は、第１スライダ１２に支持した昇降手段としてのシリンダ１６に設けて昇降するようになっている。
【００２７】
すると、モーター１５の運転により第１カッタ１０が走行して基板ａの上面をスクライブすることができる。
【００２８】
また、右側走行フレーム５には、基板ａの上面前後の辺縁に沿って二乗の切断線Ｙ、Ｙをスクライブする第２カッタ１７、１７が設けてある。
【００２９】
上記の第２カッタ１７、１７は、図４に示すように、右側走行フレーム５のテーブルＡ側全長に沿って設けてあるレール１８にスライド自在に係合してある第２スライダ１９に据え付けてあるシリンダ２０に支持して、昇降するようになっている。
【００３０】
上記のレール１８に対し第２スライダ１９を左右方向にスライドさせて、スクライブ位置を調整する。
【００３１】
さらに、右側走行フレーム５の外側方（右側走行フレーム５に対し外側に配置する）には、右側走行フレーム５に対し接近、離反方向に走行する一本の走行フレーム３０が設けてある。
【００３２】
上記の走行フレーム３０の走行は、第１ガイド手段１に走行フレーム３０の両端に設けてあるスライダ２１をスライド自在に係合すると共に、図４に示すように走行フレーム３０の両端から下向きに突出する（右側走行フレーム５の走行と同手段の）脚材６の下端雌ネジ７にモーター９により可逆駆動する雄ネジ８をねじ込んで、前後方向に走行フレーム３０を進退走行させるようになっている。
【００３３】
上記の走行フレーム３０には、走行フレーム３０の両端間に設けてあるレール３１に第３スライダ３２をスライド自在とし、この第３スライダ３２の雌ネジ２３にモーター２４により可逆駆動する雄ネジ２５をねじ込んで、上記モーター２４の運転にともない第３スライダ３２が走行するようになっている。
【００３４】
そして、第３スライダ３２には、シリンダ２６の作用にともない昇降する第３カッタ２７（この第３カッタ２７は、基板ａの後端側辺縁の左右の辺縁間をスクライブする）が設けてある。
【００３５】
すると、図５に示すように第１カッタ１０により基板ａの片端側に切断線Ｘをスクライブし、第２カッタ１７、１７により図５に示す並行両辺縁側に切断線Ｙ、Ｙをスクライブし、その後に図６に示す基板ａのもう片端側に切断線Ｚをスクライブする。
【００３６】
なお、各切断線Ｘ、Ｙ、Ｙ、Ｚは、基板ａのスクライブ加工後に次工程で端材分断加工される。
【００３７】
上記のように、スクライブ加工のタクト運転が極めてスムーズにして、能率を大幅にアップできて、大幅な稼働率の向上をはかることができる。
【符号の説明】
【００３８】
Ａ  テーブル
ａ  基板
Ｘ、Ｙ、Ｚ  切断線
１  第１ガイド手段
２  スライダ
３  走行手段
４  左側走行フレーム
５  右側走行フレーム
６  脚材
７  雌ネジ
８  雄ネジ
９  モーター
１０  第１カッタ
１１  レール
１２  第１スライダ
１３  雌ネジ
１４  雄ネジ
１５  モーター
１６  シリンダ
１７  第２カッタ
１８  レール
１９  第２スライダ
２０  シリンダ
２１  スライダ
２３  雌ネジ
２４  モーター
２５  雄ネジ
２６  シリンダ
２７  第３カッタ
３０  走行フレーム
３１  レール
３２  第３スライダ
【図１】
0003235348.tif 000003
【図２】
0003235348.tif 000004
【図３】
0003235348.tif 000005
【図４】
0003235348.tif 000006
【図５】
0003235348.tif 000007
【図６】
0003235348.tif 000008
【手続補正書】
【提出日】令和3年11月1日(2021.11.1)
【手続補正１】
【補正対象書類名】明細書
【補正対象項目名】０００７
【補正方法】変更
【補正の内容】
【０００７】
上記の第１走行体の前進走行開始にともない第１カッタを降下し、基板の一方の対向二辺の辺縁部に第１カッタにより耳落とし用の切断線をスクライブする。
【手続補正２】
【補正対象書類名】明細書
【補正対象項目名】０００８
【補正方法】変更
【補正の内容】
【０００８】
次いで、走行手段により第２走行体側のスライダを走行させ、基板の他方の対向辺縁の片方の直上に第２走行体が到達すると、第２走行体の前進走行をストップする。
【手続補正３】
【補正対象書類名】明細書
【補正対象項目名】００１１
【補正方法】変更
【補正の内容】
【００１１】
上記のようなスクライブ方式によると、第１カッタ及び第２カッタによるスクライブの際、テーブルの前方に並列二本の第１走行体及び第２走行体を進退させてあり、基板の他方の並列する両辺に第２カッタ及び第３カッタでスクライブする際に、第１走行体、第２走行体を走行させて、スクライブ位置に前記第２カッタ及び第３カッタを位置合わせスライドさせるので、迅速なタクト運転をすることができない問題があった。
【手続補正４】
【補正対象書類名】明細書
【補正対象項目名】００１５
【補正方法】変更
【補正の内容】
【００１５】
また、右側走行フレームの対の両第２スライダのスクライブ位置合わせ後、第２カッタ右側走行フレームを前進走行させることで、基板の上面左右の辺縁側に二条の切断線をスクライブすることができる。
【手続補正５】
【補正対象書類名】明細書
【補正対象項目名】００２０
【補正方法】変更
【補正の内容】
【００２０】
上記の基板ａとしては、例えば液晶のマザー基板で、例えば、短辺２２００ｍｍ、長辺２５００ｍｍの大判で、例えば、供給機械などでステージとしてのテーブルＡ上に供給載置され、供給された基板ａは、テーブルＡ上に吸引保持されるようになっている。この吸引保持手段としては、公知のように、中空な吸引式テーブルＡの上面板に無数の小孔（図示省略）を設けて、テーブルＡの上面板上に基板ａを吸引保持するようになっているが、上記以外に、例えば上記の吸引式テーブルＡの上面板に無数の小孔を設けて、テーブルＡに基板ａを吸引保持すると共に、基板ａの払い出しの際、テーブルＡ内に水などの流体を圧送してテーブルＡから基板ａを浮上させると共に、浮上にともない吸引孔として作用した小孔から圧送水（液体）を噴出させてテーブル上の、例えばカレットなどを洗い流して、基板に付着物をなくするようにした方式を採用することもある。
【手続補正６】
【補正対象書類名】明細書
【補正対象項目名】００２８
【補正方法】変更
【補正の内容】
【００２８】
また、右側走行フレーム５には、基板ａの上面前後の辺縁に沿って二条の切断線Ｙ、Ｙをスクライブする第２カッタ１７、１７が設けてある。